(57)【要約】  本発明は、移動する大気によってエネルギ、特に電気エネルギを生成するための風力タービン発電機システム（１）に関する。このシステムは、流動ダクト（３）を有しており、大気は、気流を形成することによって該流動ダクトを通って流れ、該流動ダクト（３）は、該流動ダクトを境界付ける外ケーシング（５）を有している。該システム（１）は、第１の部分（Ａ）と、第２の部分（Ｂ）と、第３の部分（Ｃ）と、第４の部分（Ｄ）と、第５の部分（Ｅ）と、第６の部分（Ｆ）とを備えている。第１の部分は、漏斗状に先細りとなる断面を有しており、第１部分に第１の量の大気が進入して該空気が加速させられる。第２部分は実質的に一定の断面であり、通過して流れる大気によって回転させられることができるロータ（２０）が第２の部分の内部に位置しており、第２部分は、管状の延長部（６７）を有している。第２の部分（Ｂ）の管状の延長部（６７）が第３の部分（Ｃ）を通過して延びており、第３の部分は、管状の先細りの入り口ファンネル（４４）を有しており、該入り口ファンネル（４４）が管状の延長部（６７）を囲み、第３の部分は、第２の量の大気を流動ダクト（３）へ進入させるように機能する。第２の部分（Ｂ）の管状の延長部の端部が第４の部分（Ｄ）に位置しており、第４の部分は、第１および第２の量の大気によって形成される流動ダクトの最小断面の平面（０平面）を有している。第５の部分（Ｅ）は、末広がりの部分である。第６の部分（Ｆ）は、第５の部分（Ｅ）に隣接し、第６の部分には、少なくとも１つの空気加速装置（１１）が配置されている。
2015508473.tif 000002
【特許請求の範囲】
【請求項１】
移動する大気によってエネルギ、特に電力を生成するための風力設備（１）であって、前記風力設備は、流路（３）を備えており、前記大気は、前記流路を通って流れる流れへと形成され、前記流路（３）は、前記流路の境界を形成する外ジャケット（５）を備えており、前記風力設備は、
第１の部位（Ａ）と、
第２の部位（Ｂ）と、
第３の部位（Ｃ）と、
第４の部位（Ｄ）と、
第５の部位（Ｅ）と、
第６の部位（Ｆ）と、
を備えており、
前記第１の部位（Ａ）は、先細りのファンネル状断面を有しており、前記第１の部位には、大気の第１の部分が進入して加速させられ、
前記第２の部位（Ｂ）は、基本的に一定の断面であり、前記第２の部位には、前記大気が通過して流れることによって回転することができるロータ（２０）が存在しており、前記第２の部位は、管状の延長部（６７）を備えており、
前記第２の部位（Ｂ）の前記管状の延長部（６７）が前記第３の部位（Ｃ）を通過して延びており、前記第３の部位（Ｃ）は、先細りの管状の入り口ファンネル（４４）を備えており、前記先細りの管状の入り口ファンネル（４４）は、前記管状の延長部（６７）を囲むとともに、大気の第２の部分が前記流路（３）へ進入させるように機能し、
前記第２の部位（Ｂ）の前記管状の延長部が前記第４の部位（Ｄ）で終結しており、前記第４の部位（Ｄ）は、「０」平面である前記流路の最小断面の平面を備えており、前記大気の前記第１および第２の部分は前記平面を通過して流れ、
前記第５の部位（Ｅ）は広がっている部位であり、
前記第６の部位（Ｆ）は、前記第５の部位（Ｅ）に後続しており、前記第６の部位では、少なくとも１つの空気加速装置（１１）が配置されている、
ことを特徴とする風力設備。
【請求項２】
少なくとも前記第１〜第６の部位（Ａ〜Ｆ）に関してはモジュール式の設計であり、各々の部位（Ａ〜Ｆ）は隣の部位へと容易に接続することができることを特徴とする請求項１に記載の風力設備。
【請求項３】
各々の部位（Ａ〜Ｉ）がベース（３９、５１）に取り付けられており、前記ベース自体が可動であることを特徴とする請求項１または２に記載の風力設備。
【請求項４】
前記ロータ（２０）がタービン（１５）の一部であり、前記タービン（１５）は、自身の支持のために、前記流路（３）内に配置されたステータ（１９）を備えていることを特徴とする請求項１〜３の一項に記載の風力設備。
【請求項５】
前記ロータ（２０）が歯車へと接続され、前記歯車が、発電機（３６）を駆動することができる別の歯車と噛合することを特徴とする請求項１〜４の一項に記載の風力設備。
【請求項６】
前記ロータ（２０）がベルトまたはチェーン駆動装置（６０、６５）へ接続され、前記ベルトまたはチェーン駆動装置が発電機の駆動輪（４９）へ接続されることを特徴とする請求項１〜４の一項に記載の風力設備。
【請求項７】
前記第２の部位（Ｂ）の前記管状の延長部（６７）の出口と前記第４の部位（Ｄ）の前記最小断面の平面（７１）との間の距離（６８）が、前記第２の部位（Ｂ）の前記管状の延長部（６７）の内径に依存することを特徴とする請求項１〜６の一項に記載の風力設備。
【請求項８】
前記ロータの支持体が前記流路（３）の外部に取り付けられていることを特徴とする請求項１〜３の一項に記載の風力設備。
【請求項９】
前記少なくとも１つの空気加速装置がファン（１１）であることを特徴とする請求項１〜８の一項に記載の風力設備。
【請求項１０】
前記ファン（１１）が、モータ（７９）によって回転することができるインペラまたは羽根（８０）を備えていることを特徴とする請求項９に記載の風力設備。
【請求項１１】
前記ファン（１１、１３）の前記モータ（７９）が、前記流路（３）の外部に設置されることを特徴とする請求項１０に記載の風力設備。
【請求項１２】
広がる出口管（８７）の形態の第７の部位（Ｇ）が、前記第６の部位（Ｆ）に後続して設けられることを特徴とする請求項１〜１１の一項に記載の風力設備。
【請求項１３】
基本的に鉛直な向きにて、好ましくは入り口を上にし、出口を下にして設置されることを特徴とする請求項１、２、または４〜１２の一項に記載の風力設備。
【請求項１４】
前記ロータ（２０）へ接続された駆動装置が、ハウジングによって囲まれていることを特徴とする請求項５〜１３の一項に記載の風力設備。
【請求項１５】
前記管状の延長部（６７）が、基本的に一定の断面であるか又は流れの方向に広がっていることを特徴とする請求項１〜１４の一項に記載の風力設備。
【発明の詳細な説明】
【技術分野】
【０００１】
本発明は、大気の運動からエネルギ（特に、電気エネルギ）を生成するための風力設備に関する。
【背景技術】
【０００２】
電気エネルギを生成するための風力設備が、欧州特許第１９１６４１５号明細書から知られている。この先行技術の風力設備は、流路を備えており、この流路において、大気が流路を通って流れる流れへと形成され、この風力設備の入り口部位に位置する空気加速装置が、吸い込まれた大気を加速させ、次いでこの大気が、後続の先細り部位へと流れ、さらに加速される。次の部位において、通過して流れる大気がロータを回転させ、その後に空気の流れは、出口部位に相当する膨張部へと導かれ、その後ろの部位にさらなる空気加速装置が設けられ、流れる空気を再び環境へと戻す。
【０００３】
欧州特許第１９１６４１５号明細書の風力設備によるエネルギの生成は、基本的に、出口において入り口における温度よりもはるかに低い温度を有する流入する大気の冷却という原理にもとづいている。欧州特許第１９１６４１５号明細書による風力設備の設計のやり方にもとづき、発明者は、システムについて、すなわち設備の根底にある原理について、効率をさらにもっと改善することによってきわめて高効率の風力設備を提供することを目標として、自身の研究を続けた。
【先行技術文献】
【特許文献】
【０００４】
【特許文献１】欧州特許第１９１６４１５号明細書
【発明の概要】
【発明が解決しようとする課題】
【０００５】
したがって、本発明は、関連の先行技術から出発して、先行技術よりも高効率であり、すなわち大気の運動からさらにより多くのエネルギを生成する風力設備を提案するという目的にもとづく。
【課題を解決するための手段】
【０００６】
この目的が、請求項１の特徴によって達成される。
【０００７】
本発明によれば、風力設備が、
先細りのファンネル（漏斗）状の断面を有しており、大気の第１の部分が進入して加速させられる第１の部位（Ａ）と、
基本的に一定の断面であり、通過して流れる大気によって回転させることができるロータを存在させており、管状の延長部を備えている第２の部位（Ｂ）と、
前記第２の部位（Ｂ）の前記管状の延長部が通過して延びており、先細りの管状の入り口ファンネルを備えており、該先細りの管状の入り口ファンネルが、前記管状の延長部を囲み、大気の第２の部分の前記流路への進入を可能にするように機能する第３の部位（Ｃ）と、
前記第２の部位（Ｂ）の管状の延長部の末端が位置しており、大気の前記第１および第２の部分が通過して流れる前記流路の最小断面の平面（「０」平面）を含んでいる第４の部位（Ｄ）と、
第５の広がっている部位（Ｅ）と、
前記第５の部位（Ｅ）に後続しており、少なくとも１つの空気加速装置が配置されている第６の部位（Ｆ）と
を備えている。
【０００８】
大気の第２の部分を進入させることを可能にし、入り口領域において流入する大気の第１および第２の部分に作用する空気加速装置などの手段を省くことによって、効率に有利な影響がもたらされるという驚くべき発見がなされた。このようにして、風力設備が、大幅に多くのエネルギを入手可能にすることができる。
【０００９】
少なくとも１つの空気加速装置は、空気加速装置としての回転ファンによって引き起こされる悪影響などの流れる大気への悪影響を回避できるように、出口部位に配置される。
【００１０】
風力設備を、少なくとも第１〜第６の部位に関して、各々の部位を１つ以上の隣の部位へと容易に接続することができるモジュール式のやり方で構成することが、好都合である。これは、製造、輸送、組み立て、保守、および修理に関して、顕著な利点を提供する。個々のモジュールを、別々に製造および輸送することができ、素早く組み立てることができ、必要であれば個々のモジュールを容易に交換することができる。
【００１１】
これらの利点を強化するために、各々の部位を、それ自身が可動であるベースに搭載することで、モジュールの取り扱いの容易さをさらにもっと高めることができる。
【００１２】
この可動性を、例えば支持輪または支持ローラをベースに取り付けて使用することによって達成でき、例えば支持輪は、自由に可動であり、すなわち任意の方向に可動であり、あるいはレール上を走行してもよい。
【００１３】
好ましい実施の形態においては、前記ロータが、タービンの一部であり、このタービンが、ロータを支持するために、前記流路内にも設けられるステータを備える。ステータは、ロータの回転軸を支持し、好都合には流入する大気の第１の部分を好ましい入射角度でロータの羽根へと案内する空気案内要素を備える。
【００１４】
発電機によって電気を生成できるよう、前記ロータが歯車へと接続され、この歯車が、発電機を駆動することができる別の歯車に噛合する。このようにして、設計を、適切な歯車対の選択によって容易に実行することができる。
【００１５】
あるいは、前記ロータを、発電機の駆動輪へと接続されたベルトまたはチェーン駆動装置によって発電機へと接続することができる。
【００１６】
本発明の風力設備は、電力の生成に使用できるだけでなく、他の作業機械または作業装置を駆動するための相応の大きさのトルクまたは相応の回転速度をもたらすことができる作業機械として機能するようにも使用することができる。例として、裁断機、プレス、およびポンプが挙げられる。
【００１７】
前記第２の部位の前記管状の延長部の出口と、前記第４の部位の前記最小断面の平面（ここでは、「０平面」と称される）との間の距離が、前記第２の部位の前記管状の延長部の内径に依存するという好都合な発見がなされた。個々の部位のモジュール式の設計ゆえに、例えば第１および第２の部位を第３〜第６の部位に対して単純に移動させることによって、管状の延長部の最適な位置を実験的に決定することが可能である。
【００１８】
別の実施の形態においては、前記ロータを、前記流路の外部において支持することもでき、すなわちロータを支持する構成部品を、流路の外側に取り付けることができ、結果として、空気の流れを妨げうる構成部品が流路からさらに取り除かれる。
【００１９】
好ましい実施の形態においては、前記少なくとも１つの空気加速装置が、ファンとして設計される。ファンは、好ましくは、モータによって回転させることができるインペラを備える。
【００２０】
伝統的なファンの設計は、ファンのインペラまたは羽根が取り付けられた駆動軸を備えるモータを有している。代案としては、ファンのモータが流路の外部に設置され、そのようにすることが好ましい。これは、以下の利点につながる。
【００２１】
第１に、ファンの直径をはるかに小さくすることができる。これは、設備の全長の大幅な短縮をもたらし、摩擦損失も小さくなる。
【００２２】
外部設置のモータは、ファンを駆動するためにベルト駆動装置などの適切な技術的手段を使用すると考えられる。これは、第２の利点、すなわちモータが発生させる熱が出口部位の空気の流れに伝わることがないという利点をもたらす。これは、空気の流れの熱の増加が設備の効率に悪影響を有するがゆえに、重要である。
【００２３】
本発明の風力設備の好ましい実施の形態によれば、広がる出口管または出口ファンネルの形態の第７の部位が、前記第６の部位に後続して設けられる。ファンのロータの羽根を適切に設計することによって、空気を、広がる出口管の傾きの角度にすでに基本的に一致する方向に流すことができる。これは、設備の効率のさらなる向上につながる。
【００２４】
図面に関連してさらに詳しく後述される第１の実施の形態においては、本発明の風力設備が、基本的に水平となるように設置される。しかしながら、代案として、好ましくは入り口を上にし、出口を下にして、基本的に鉛直となるように設置することも可能である。冷たい空気は暖かい空気よりも重たいため、大気よりも低温である下向きに案内される空気は、風力設備の効率に有利な影響をもたらす。
【００２５】
すでに上述したように、通過して流れる空気の流れとの干渉は、風力設備の効率に悪影響を及ぼす。この理由で、前記ロータへと接続された駆動装置を、ハウジングによって囲むことが好都合であり、ハウジングを、流体力学に関して最適化することができる（液滴の形状、など）。
【００２６】
風力設備のエネルギ収量、すなわち効率を高めるために、管状のジャケットによって囲まれた流路は、流れる大気の摩擦抵抗を減らすためにジャケットの内面に適切な低摩擦コーティングを設けることによって最適化される。
【００２７】
また、前記管状の延長部を、基本的に一定の断面とし、あるいは流れの方向において広げることも好都合である。
【００２８】
本発明のさらなる詳細、特徴、および利点を、添付の図面を参照する以下の説明から導き出すことができる。
【図面の簡単な説明】
【００２９】
【図１】個々の部位へと分割された本発明の風力設備の概略の側面図。
【図２】図１の風力設備の断面図。
【図３】０平面までの入り口部位の拡大断面図。
【図４】０平面から始まる出口部位の拡大断面図。
【図５】図４による出口部位の別の実施の形態の側面図。
【発明を実施するための形態】
【００３０】
添付の図面において、同じ構成要素または構成部品は、同じ参照番号によって指し示されている。
【００３１】
図１が、本発明の風力設備１の第１の好ましい実施の形態の概略の側面図を示している。風力設備１は、モジュール式のやり方で設計され、第１の部位Ａと、第２の部位Ｂと、第３の部位Ｃと、第４の部位Ｄと、第５の部位Ｅと、第６の部位Ｆと、第７の部位Ｇと、第６の部位Ｆと、第７の部位Ｇと、第８の部位Ｈと、第９の部位Ｉとを備えている。図１に見て取ることができるとおり、第４の部位Ｄは、基本的に対称な設計であり、本発明の風力設備１の入り口または入り口部位と出口または出口部位との間の境界を形成する境界面（ここでは、「０平面」７１と称される）を備えている。したがって、部位Ｄは、２つの部位Ｄ１およびＤ２へとさらに分割される。したがって、全体として、本発明の風力設備１の入り口または入り口部位は、部位Ａ、Ｂ、Ｃ、およびＤ１を含み、出口または出口部位は、部位Ｄ２、Ｅ、Ｆ、Ｇ、Ｈ、およびＩを含む。風力設備１は、第１の部位Ａから最後の部位Ｉまで延びる流路３を備える。流路３は、例えば金属薄板で製作することができる管状の外ジャケット５によって囲まれている。流路は、基本的に円形の断面を備える。
【００３２】
第１の部位Ａにおいて、流路３は、連続的に先細りとなる入り口ファンネル３１を備えている。この入り口ファンネル３１へと、大気の第１の部分が進入する。第２の部位Ｂにおいて、流路は、図３に関してさらに詳しく後述されるように、タービン管５４、５９および管状の延長部６７による基本的に一定の断面を備えている。
【００３３】
風力設備１は、連続的に先細りであり、大気の第２の部分が進入する別の入り口ファンネル４４を備える第３の部位Ｃを備えている。この空気は、さらに管状の延長部６７の外面に沿って流れる。
【００３４】
第４の部位Ｄの中央に、大気の第１の部分と大気の第２の部分とで構成される合成流路の断面が最小となる「０平面」７１と称される境界面が位置し、すなわち大気の第１および第２の部分がこの流路を通って流れる。０平面７１は、入り口部位７と出口部位９との間の境界を形成している。これら２つの部位は、図３〜５を参照してさらに詳しく後述される。
【００３５】
第５の部位Ｅにおいて、流路３は再び広がり、次の部位、すなわち第６の部位Ｆに、２つの空気加速装置が後続している。第６の部位Ｆは、基本的に一定の断面を備える。
【００３６】
第７の部位Ｇにおいて、流路３はさらに広がり、第８の部位Ｈに２つのさらなる空気加速装置が後続している。第８の部位Ｈは、基本的に一定の断面を備える。風力設備１は、最後に、流路がさらにもっと広がる第９の部位Ｉにて終わる。
【００３７】
空間を節約するために、発電機３６が、第１の部位Ａの外側に設置されている。発電機３６は、駆動輪４９が取り付けられた駆動軸４７を備えており、次いで駆動輪４９が、タービン１５の駆動輪６０に接続されている。
【００３８】
図１においても見て取ることができ、さらに詳しくは後述されるように、部位Ａ〜Ｉの各々は、適切な支持構造物１７によって支持される。次いで、各々の部位Ａ〜Ｉのためのこれらの支持構造物が、いずれも個別のベース３９上に支持される。ベース３９は、各々の支持輪４１を備えており、したがってモジュール式の部位Ａ〜Ｉの各々を個別に移動させることが可能である。
【００３９】
図２が、図１の本発明の風力設備の概略の断面を示している。特に、図３〜５を参照してさらに詳しく後述されるように、タービン１５のステータ１９およびロータ２０が示されている。さらに、矢印２１が、大気の第２の部分の流れを表している。出口部位９において、ファンの形態に設計された空気加速装置１１および１３を、よりはっきりと見て取ることができる。
【００４０】
次に図３を参照すると、図２による入り口部位７の断面図が、さらに拡大されて示されている。第１の部位Ａにおいて流路３を囲み、矢印２１によって示されるように大気の第１の部分を受け入れるように機能する入り口ファンネル３１が、前端に、丸みを帯びた流入装置３０を備えている。入り口ファンネル３１は、支持構造物１７に取り付けられ、この支持構造物１７は、ここに挙げられる例の場合には、以下のように設計されている。
【００４１】
支持構造物１７は、鉛直方向の支持梁または支柱３３と、水平方向の支持体または補強支柱３２および３５とを、互いに接続して備えている。水平方向の支持支柱３２、３５は、どちらも流路３の軸に平行かつ横方向に延びている。入り口ファンネル３１は、このフレーム状の支持構造物１７に載せられ、このフレーム状の支持構造物１７内に位置している。支持構造物１７自体は、平板の形態に設計されたベース３９に載せられている。第１の部位Ａの移動または輸送が可能であるように、支持ローラ４１がベース３９に取り付けられ、これらのローラが、第１の部位Ａの全体を支持し、第１の部位Ａを移動可能にしている。
【００４２】
入り口ファンネル３１の流入装置３０とは反対側の端部に、ファンネルをタービン管５４に取り付けられたフランジリング４０に接続するように機能するフランジリング３４が取り付けられている。ボルトおよびナットの螺合などの着脱可能な接続によって、連続的な流路３を形成すべく２つのフランジリング３４および４０を接続することができ、互いに再び分離させることも可能である。
【００４３】
図３の断面図において、断面の平面の向こう側に位置する構成要素は、破線で描かれている。
【００４４】
第２の部位Ｂが、タービン１５の形態のエネルギ生成または変換装置を収容している。タービン１５は、ロータシャフト５７と、ロータ羽根５８とを有するロータ２０を備えている。ロータシャフト５７が挿入されるハブ５６を有するステータ１９が、ロータシャフトを支持するように設けられている。ステータは、到来する大気を所望の角度でロータ２０の羽根５８に到達するようなやり方でそらす役割を有する羽根５５を備えている。ステータ１９は、タービン管５４によって囲まれており、ロータ２０は、タービン管５９によって囲まれている。
【００４５】
第２の部位Ｂは、フレーム状の支持構造物を形成する複数の鉛直方向および水平方向の支持体または支柱６３を備える支持構造物２７を備えており、支持構造物２７は、板状の要素の形態のベース５１に取り付けられている。板状の要素５１自体は、支持輪５３に載せられており、結果として第２の部位Ｂも可動である。
【００４６】
支柱６３は、力を吸収するように機能する屋根状の構造物６１によって覆われている。
【００４７】
図３において、発電機３６は、流路３の背後に位置するがゆえに、破線でのみ図示されている。発電機３６は、鉛直方向および水平方向の支柱を有する支持構造物３７に載せられている。支持構造物３７は、ベース３９および５１と同様の板として設計されたベース３８に載せられている。発電機を移動させることができるように、ベース３８も、やはり支持ローラ４３に載せられている。
【００４８】
タービン管５９に、管状の延長部６７が後続しており、すなわちタービン１６の流出管が後続している。ここで検討されている例の場合には、延長部６７が、タービン管５４、５９と同じ直径を有している。例えば関連の支持構造物の支柱６３を接続することができるリングフランジ６４が設けられている。
【００４９】
ロータ２０は、周囲の外側リム６０を備えている。このリムが、適切な歯車ベルト６５によって、発電機の軸４７に取り付けられた、発電機３６の駆動輪４９へと駆動力を伝えることができる。
【００５０】
管状の延長部６７は、本発明の風力設備１の第３の部位Ｃの全体を貫き、第４の部位Ｄの第１の部分部位Ｄ１まで延びている。第３の部位Ｃは、矢印２１によって示されるとおりの大気の第２の部分のための流入装置４５を有する入り口ファンネル４４を備えている。
【００５１】
図３に見て取ることができるとおり、大気の第２の部分は、延長部６７の端部に位置する平面６８に達するまで、管状の延長部６７の外側に沿って流れ、ここで、この平面の０平面７１からの距離は、管状の延長部６７の内径に依存する。第１の部位Ａおよび第２の部位Ｂを、第３の部位および残りのすべての部位Ｃ〜Ｉに対して一単位として移動させることができるため、平面６８の最適な位置、すなわち管状の延長部６７の出口と０平面７１との間の最適な距離を、実験的に見つけ出し、平面をその位置に恒久的に設定することが可能である。
【００５２】
第３の部位Ｃの入り口ファンネル４４は、第１の部位Ａの入り口ファンネル３１と同様に、鉛直方向の支持体３３と水平方向の補強支柱３２、３５とを有する類似のフレーム状の支持構造物１７に載せられ、この支持構造物１７自体が、板状のベース３９に載せられる。次いで、この板状のベース３９が、可動性をもたらす支持輪４１に載せられる。
【００５３】
第３の部位を第４の部位Ｄへと接続できるように、入り口ファンネル４４の出口側および第４の部位の入り口側の両者が、互いに容易に接続および分離可能であるリングフランジ６９を有している。
【００５４】
第４の部位Ｄは、その部分部位Ｄ１に、０平面７１まで延びる別の入り口ファンネルの形態の管状ジャケット６６を備えている。入り口または入り口部位７の０平面７１において、入り口部位の最後となる別のリングフランジ７０が、管状ジャケット６６上に位置しており、このフランジが、流路３の管状の出口ファンネル７３のリングフランジ７２と協働する。第４の部位Ｄの２つの半分Ｄ１およびＤ２も、ベース３９上に支持された支持構造物３２、３３、３５を備え、ベース３９自体は、支持輪４１上に載せられている。
【００５５】
図４に見て取ることができるとおり、第４の部位Ｄは、別のリングフランジ接続部３４によって別の出口ファンネル７８へと接続され、出口ファンネル７８は、ここでの例に示されているとおり、出口ファンネル７３の角度とは異なる角度で広がっている。
【００５６】
図４に詳しく示されている出口または出口部位９は、接続された一連の部位を備えており、すなわち第４の部位Ｄの部分部位Ｄ２、第５の部位Ｅ、第６の部位Ｆ、第７の部位Ｇ、第８の部位Ｈ、および第９の部位Ｉを備えている。図４に見て取ることができるとおり、支持体および支柱３２、３３、３５を備える同様の支持構造物１７が、やはり流路３を支持するために設けられており、やはり支持ローラ４１が、支持構造物１７を支持し、個々の部位に可動性を与えるために、ベース３９に設けられている。
【００５７】
個々の部位を互いに容易に接続できるようにするだけでなく、保守などのための分離も可能にするリングフランジ３４、７５、７７が設けられている。第５の部位Ｅが、出口ファンネル７８によって第６の部位Ｆへと広がり、第６の部位Ｆには、フランジ７７によって切り離すことができる２つのファン１１が設置されている。ファンは、モータの軸７４に回転可能に取り付けられてモータ７９によって駆動されるインペラまたは羽根８０を備える。インペラ８０は、駆動輪７６に取り付けられている。
【００５８】
ジャケットまたは管８１が、流路３を第６の部位Ｆにおいて囲み、第８の部位Ｈにおいても囲む。この第８の部位Ｈにも、ファン１１と同じ設計を有するが、ファン１１よりもいくらか大きい２つのファン１３が設置されている。参照番号８２が、ファンジャケット８１のための補強構造を指し示している。
【００５９】
第７の部位Ｇが、第６の部位Ｆと第８の部位Ｈとの間を延びており、この第７の部位は、膨張するファンネル８７の形態に設計されている。２つのファン１３を備える第８の部位Ｈに、さらなる部位が続いており、すなわち膨張する出口ファンネル８９を有している第９の部位Ｉが続いている。
【００６０】
図４は、本発明の出口部位９の第１の実施の形態を示している。原理的に、風力設備１は、２つのファン１１のうちの一方だけを備えることもでき、部位Ｇ〜Ｈは随意である。もたらすべきエネルギの量が多いほど、より多数のファンが必要になる。
【００６１】
すでに上述したように、流路３における空気の流れに対する障害物は、全体としての風力設備の効率にとって不利である。図５が、モータ７９が流路３の外へと横方向に移されており、羽根８０をモータの軸７４上の駆動輪７６によって駆動することができるファン１１および１３の別の実施の形態を示している。これを、例えばベルトによって行うことができ、流路における妨害の大きさをさらに軽減するために、流体力学の観点から適切に設計されたベルト駆動部用のハウジング（図示されていない）を、流路内に設けることができる。
【００６２】
モータ７９を、鉛直な支持体８４上に載せられたベース８３に取り付けることができる。他の構成部品または部位の場合のように、支持体は、板８５上に取り付けられ、板８５自体が、支持輪８６上で移動可能であり、結果としてモータ７９を、モータの軸７４および駆動輪７６と一緒に移動させることができる。
【００６３】
本発明は、大気の運動からエネルギ（特に、電気エネルギ）を回収することができ、タービンを通って流れる空気の流れの顕著な冷却のおかげで、ファンによって消費される力がタービンによってもたらされるエネルギよりも大幅に少ない風力設備を生み出す。
【００６４】
本発明の他の利点は、流路３から現れる空気の流れが、到来する空気の流れよりもはるかに低温であり、環境制御（冷房）システムにおける使用に適するという事実からもたらされる。
【図１】
2015508473.tif 000003
【図２】
2015508473.tif 000004
【図３】
2015508473.tif 000005
【図４】
2015508473.tif 000006
【図５】
2015508473.tif 000007
【国際調査報告】
2015508473.tif 000008
2015508473.tif 000009
2015508473.tif 000010
2015508473.tif 000011
2015508473.tif 000012
2015508473.tif 000013